(57)【要約】【課題】耐火帯と止水板の設置作業の工数を削減し、施工性の高いエキスパンションジョイント用耐火帯を提供する。【解決手段】本発明に係るエキスパンションジョイント用耐火帯１は、上述した課題を解決するために、耐火性を有するガラス繊維で形成される耐火シート２と、前記耐火シートの一方の面に積層一体化される止水シート３と、を備える。【選択図】図１
2020141893.tif 000002
【特許請求の範囲】
【請求項１】
耐火性を有するガラス繊維で形成される耐火シートと、
前記耐火シートの一方の面に積層一体化される止水シートと、を備えたエキスパンションジョイント用耐火帯。
【請求項２】
前記止水シートは、自己消火性と難燃性を有する請求項１に記載のエキスパンションジョイント用耐火帯。
【請求項３】
前記止水シートが、ポリアミド、ポリカーボネート、ポリ塩化ビニル、ポリフェニレンオキサイド、難燃ＥＰゴム、架橋ポリエチレン、難燃クロロプレンゴム、ポリビニリデンフロライド、シリコーンゴムおよびテトラフロロエチレンからなる群から選択される少なくとも１種を含む請求項１または請求項２に記載のエキスパンションジョイント用耐火帯。
【請求項４】
前記ガラス繊維は、ＳｉＯ２を９６％以上含有する請求項１〜３のいずれかに記載のエキスパンションジョイント用耐火帯。
【発明の詳細な説明】
【技術分野】
【０００１】
本発明は、エキスパンションジョイント用耐火帯に関する。
【背景技術】
【０００２】
エキスパンションジョイントのカバープレートの隙間から漏れ出た水が躯体の間隙に流入するのを防止する目的で、カバープレートと耐火帯の間に止水板が設けられることがある（例えば、特許文献１参照）。
【先行技術文献】
【特許文献】
【０００３】
【特許文献１】特開平８−１５８４９１
【発明の概要】
【発明が解決しようとする課題】
【０００４】
耐火帯は躯体間の間隙の全長にわたって設置されるため、耐火帯と止水板をそれぞれ間隙に設置すると、作業が煩雑になり作業効率が悪化していた。
【０００５】
本発明はこのような事情を考慮してなされたもので、耐火帯と止水板の設置作業の工数を削減し、施工性の高いエキスパンションジョイント用耐火帯を提供することを目的とする。
【課題を解決するための手段】
【０００６】
本発明に係るエキスパンションジョイント用耐火帯は、上述した課題を解決するために、耐火性を有するガラス繊維で形成される耐火シートと、前記耐火シートの一方の面に積層一体化される止水シートと、を備える。
【発明の効果】
【０００７】
本発明に係るエキスパンションジョイント用耐火帯は、耐火帯と止水板の設置作業の工数を削減することができる。
【図面の簡単な説明】
【０００８】
【図１】本実施形態のエキスパンションジョイント用耐火帯の使用状態を示す図である。
【図２】本実施形態のエキスパンションジョイント用耐火帯を示す斜視図である。
【発明を実施するための形態】
【０００９】
本発明に係るエキスパンションジョイント用耐火帯の一実施形態を図面に基づいて説明する。
【００１０】
図１は、本実施形態のエキスパンションジョイント用耐火帯１の使用状態を示す図である。
本実施形態におけるエキスパンションジョイント用耐火帯（以下単に「耐火帯」という）は、隣接する建物の躯体４、４の間隙５からの炎等の移動を防止する目的で躯体４、４の間に設置されるものである。
【００１１】
図２は、本実施形態の耐火帯１を示す斜視図である。
本実施形態における耐火帯１は、耐火シート２と、耐火シート２の一方の面に積層一体化される止水シート３と、を備える。
【００１２】
耐火帯１は、躯体４、４間の間隙５の全長にわたって設置されるため、複数の耐火帯１の長手方向の端部が接合され、一枚の長尺状の耐火帯として使用される。耐火帯１の接合は、複数の耐火帯１の断面を突き合わせた状態にして、その突き合わせ目地部を耐火性接着剤やアルミテープ等の接着テープで接着して閉塞する方法や、２枚の耐火帯１の端部を重ね合わせ、接合部材を用いて固定し、接合部分をアルミテープで覆う方法等により行われる。複数の耐火帯１を接合した一枚の長尺状の耐火帯は、躯体４、４の間隙５内にＵ字状に弛ませて設置され、間隙５を形成する壁面に固定部材６を介して固定される。固定部材６は、図１において取り付け用ボルトが用いられているが、例えば、掛止金具と受金具のような固定用金具等の適宜の固定部材を用いることができる。
【００１３】
耐火シート２は、耐火性を有するガラス繊維で形成される。本実施形態においては、耐火シート２は、ＳｉＯ２の含有量が９６％以上の高珪酸ガラス繊維であることが好ましい。これにより、耐火シート２は、１０００℃以上の高温でも長時間の連続使用に耐えることができる。シートの形態としては、織物、編物、不織布等を挙げることができ、短繊維および長繊維を公知の方法で加工して用いることができる。
【００１４】
止水シート３は、エキスパンションジョイントのカバープレート（図示せず）の隙間から漏れ出た水が、躯体４、４の間隙５に流入するのを防止する目的で設けられ、エキスパンションジョイントのカバープレートと耐火帯１の間に設置される。本実施形態において止水シート３は、耐火シート２の図１における上側の面（エキスパンションジョイントのカバープレート側の面）に積層一体化される。これにより、躯体４、４の間隙５への水の流入を防止しつつ、耐火シート２と止水シート３をそれぞれ躯体４、４の間隙５を形成する壁面に設置する場合と比べて、設置作業の工数を大幅に削減することができる。
【００１５】
耐火帯１の耐火シート２および止水シート３は、結合手段によって積層一体化されている。本実施形態において、結合手段は、例えば、接着材である。
【００１６】
止水シート３は、自己消火性と難燃性を有することが好ましい。耐火帯１付近に設置された止水シート３がすぐに燃焼することにより、接合部分を覆っているアルミテープと止水シートが接着している部分が燃焼し、アルミテープが脱着するため、接合部分が離間し、間から炎が通過するからである。本実施形態においては、自己消火性は、プラスチック―酸素指数による燃焼性の試験方法、第２部室温における試験（ＪＩＳ  Ｋ  ７２０１−２）に従って測定される酸素指数が、２４〜４４であることが好ましい。また、難燃性は、ＵＬ９４規格に従って判定されるグレードが、Ｖ−２〜Ｖ−０であることが好ましい。
【００１７】
止水シート３は、自己消火性および難燃性を有する樹脂から形成され、例えば、ポリアミド、ポリカーボネート、ポリ塩化ビニル、ポリフェニレンオキサイド、難燃ＥＰゴム、架橋ポリエチレン、難燃クロロプレンゴム、ポリビニリデンフロライド、シリコーンゴムおよびテトラフロロエチレンからなる群から選択される少なくとも１種を含む樹脂で形成される。
【００１８】
このような本実施形態における耐火帯１は、耐火シート２と止水シート３をそれぞれ躯体４、４の間隙５を形成する壁面に設置する場合と比べて、設置作業の工数を大幅に削減することができる。
【００１９】
本発明の耐火帯１は上記実施形態に限定されず、本発明の主旨を逸脱しない範囲において、種々の改良や変更を行うことができる。
【符号の説明】
【００２０】
１  耐火帯
２  耐火シート
３  止水シート
４  躯体
５  間隙
６  固定部材
【図１】
2020141893.tif 000003
【図２】
2020141893.tif 000004